(57)【要約】【課題】携帯可能とするために小型化された子機であっても、それを充電しつつ容易に操作することを簡易な構成で実現する。【解決手段】携帯可能な子機１０と、子機１０と接続されて子機１０内に備えられた二次電池１８を充電する充電装置３０と、を備える情報処理システムＳにおいて、充電装置３０は、子機１０を操作するための操作情報を入力するために用いられる操作部３５と、二次電池１８を充電するための充電電圧操作情報に基づいて制御する充電制御部３３と、当該制御された充電電圧を子機１０に供給する充電端子３１及び３２と、を備え、子機１０は、充電装置３０から供給された充電電圧を二次電池１８に供給する充電端子１９及び２０と、充電電圧の変化に基づいて操作情報により示される操作に対応する処理を実行するＣＰＵ１２と、を備える。【選択図】図１
2011050201.tif 000002
【特許請求の範囲】
【請求項１】
携帯可能な情報処理装置と、当該情報処理装置と接続されて当該情報処理装置内に備えられた電池を充電する充電装置と、を備える情報処理システムにおいて、
前記充電装置は、
前記情報処理装置を操作するための操作情報を入力するために用いられる操作手段と、
前記電池を充電するための充電信号を、前記操作情報に基づいて制御する制御手段と、
前記制御された充電信号を前記情報処理装置に供給する充電手段と、
を備え、
前記情報処理装置は、
前記充電装置から供給された前記充電信号を前記電池に供給する供給手段と、
前記充電信号の変化に基づいて、前記操作情報により示される前記操作に対応する処理を実行する実行手段と、
を備えることを特徴とする情報処理システム。
【請求項２】
請求項１に記載の情報処理システムにおいて、
前記制御手段は、前記操作情報に基づいて前記充電信号の電圧を制御する電圧制御手段であると共に、
前記実行手段は前記電圧の変化に基づいて前記処理を実行することを特徴とする情報処理システム。
【請求項３】
請求項２に記載の情報処理システムにおいて、
前記電圧制御手段は前記操作情報に基づいて前記電圧のオン／オフを制御すると共に、
前記実行手段は当該オン／オフに基づいて前記処理を実行することを特徴とする情報処理システム。
【請求項４】
請求項３に記載の情報処理システムにおいて、
前記操作情報はデータ１とデータ０との組み合わせからなるコードデータであると共に、
前記電圧制御手段は、前記電圧のオンが前記データ１に相当し、且つ前記電圧のオフが前記データ０に相当するように、前記操作情報に基づいて前記オン／オフを制御することを特徴とする情報処理システム。
【請求項５】
請求項４に記載の情報処理システムにおいて、
前記電圧制御手段は、前記操作情報に相当する前記コードデータと、当該コードデータの直前に伝送される開始コードデータと、当該コードデータの直後に伝送される反転コードデータと、から、前記操作情報に相当するフレームデータを生成し、
前記充電手段は、前記電圧を制御した前記充電信号を前記生成したフレームデータを単位として前記情報処理装置に供給すると共に、
前記実行手段は、前記フレームデータを単位として前記処理を実行することを特徴とする情報処理システム。
【請求項６】
請求項３に記載の情報処理システムにおいて、
前記電圧制御手段は、前記操作情報に相当する前記充電信号が、当該操作情報に対応する数のパルスを有するパルス信号となるように前記オン／オフを制御し、
前記実行手段は前記パルス信号における前記パルスの数に基づいて前記処理を実行することを特徴とする情報処理システム。
【請求項７】
請求項２に記載の情報処理システムにおいて、
前記制御手段は、
前記操作情報に対応した波形を有する交流信号を生成する交流信号生成手段と、
前記生成された交流信号を前記充電信号に重畳する重畳手段と、
を備え、
前記充電手段は、前記交流信号が重畳された前記充電信号を前記情報処理装置に供給すると共に、
前記実行手段は、
前記供給された充電信号から前記交流信号を抽出する抽出手段と、
前記抽出された交流信号に基づいて前記処理を実行する処理実行手段と、
を備えることを特徴とする情報処理システム。
【請求項８】
請求項２に記載の情報処理システムにおいて、
前記制御手段は、前記操作情報に対応して前記充電信号における極性を切り換えると共に、
前記充電手段は、前記極性が切り換えられた前記充電信号を前記情報処理装置に供給し、
前記実行手段は、前記供給された充電信号における前記極性の変化に基づいて前記処理を実行することを特徴とする情報処理システム。
【請求項９】
請求項１から８のいずれか一項に記載の情報処理システムにおいて、
前記操作手段の大きさは、前記情報処理装置に備えられ且つ前記操作情報を当該情報処理装置に入力するために用いられる処理装置操作手段の大きさよりも大きいことを特徴とする情報処理システム。
【請求項１０】
請求項１から９のいずれか一項に記載の情報処理システムにおいて、
前記充電手段及び前記供給手段は、相互に物理的に接触して前記制御された充電信号を授受する充電端子を各々に備えること特徴とする情報処理システム。
【請求項１１】
請求項１から１０のいずれか一項に記載の情報処理システムに含まれる前記充電装置であって、
前記操作手段と、
前記制御手段と、
前記充電手段と、
を備えることを特徴とする充電装置。
【請求項１２】
請求項１から１０のいずれか一項に記載の情報処理システムに含まれる前記情報処理装置であって、
前記供給手段と、
前記実行手段と、
を備えることを特徴とする情報処理装置。
【請求項１３】
請求項１から１０のいずれか一項に記載の情報処理システムに含まれる前記充電装置に含まれるコンピュータを制御手段として機能させることを特徴とする充電装置用プログラム。
【請求項１４】
請求項１から１０のいずれか一項に記載の情報処理システムに含まれる前記情報処理装置に含まれるコンピュータを、
前記供給手段、及び、
前記実行手段、
として機能させることを特徴とする情報処理装置用プログラム。
【発明の詳細な説明】
【技術分野】
【０００１】
本願は、充電装置、情報処理装置及び情報処理システム並びに充電装置用プログラム及び情報処理装置用プログラムの技術分野に属する。より詳細には、例えばいわゆる親子電話機における子機を例とする携帯型の情報処理装置と、当該情報処理装置内の二次電池に対して充電を行う充電装置と、を含む情報処理システム並びに当該情報処理装置及び充電装置夫々用のプログラムの技術分野に属する。
【背景技術】
【０００２】
近年、家庭用の電話機として、外部の電話線に接続された親機と、当該親機と無線により接続され且つ当該親機を介して外部との間での通話を行う子機と、を含む、いわゆる親子電話機が一般化している。
【０００３】
この親子電話機における子機は、通常小型で携帯が容易に構成されており、その駆動電力は当該子機内に備えられた二次電気（充電可能な電池）から供給されることが多い。この二次電池は、固定設置され且つ家庭用の交流電源に接続されている充電装置上に子機を載置することで、非接触式又は接触式により当該充電装置により充電される構成とされている場合が多い。
【０００４】
一方、通常の親子電話機では、上記電話線に接続される親機は例えば居間等に設置される場合が多く、これに対して子機は別の部屋（例えば家族夫々の寝室等）にその充電装置共々設置される場合が多い。そして、当該子機は、上述したように小型化が望まれるため、一般にその操作ボタンや数字ボタンは、親機に備えられているそれらよりも小さい場合が多い。
【０００５】
よって、子機しか設置されていない部屋において、当該子機を介して外部と通話をする場合、その子機上の小さな操作ボタン等を操作して通話せざるを得ず、例えば高齢者等においては使い辛い或いは見え辛いといった問題点が従来から指摘されていた。
【０００６】
そこで、これらの問題点を解決するために、下記特許文献１乃至４に記載された技術が開発されている。
【０００７】
このうち、特許文献１及び２には、充電装置上の操作ボタンによる操作で、充電装置上に載置された子機の操作を行う構成が開示されている。
【０００８】
また特許文献３及び４には、親子電話機における親機と子機との間で、子機における充電端子を介して情報の通信を行う構成が開示されている。
【先行技術文献】
【特許文献】
【０００９】
【特許文献１】特開平９−２２４０７５号公報
【特許文献２】特開２００８−２５９００６号公報
【特許文献３】特開平５−４８６８５号公報
【特許文献４】実開平２−５１４３２号公報
【発明の概要】
【発明が解決しようとする課題】
【００１０】
しかしながら、先ず上記特許文献１及び２においては、子機と充電装置間の通信方法としては通信用の端子又は赤外線送受信部の少なくともいずれか一方を充電端子とは別個に備える必要があり、本来簡素化されるべき子機及び充電装置としての構成が複雑化するという問題点があった。
【００１１】
また、上記特許文献３及び４に開示されている技術は、親機と子機との間における無線通信を補助するための通信を別途充電端子を用いて行うというものであり、それ以上の構成については、開示も示唆もない。また、充電装置と子機との間の情報通信についても、開示も示唆もない。
【００１２】
そこで本願は、上記の問題点等に鑑みて為されたもので、その課題は、携帯可能とするために小型化された子機等の情報処理装置であっても、それを充電しつつ容易に操作することを簡易な構成で実現することが可能な充電装置、情報処理装置及び情報処理システム並びに充電装置用プログラム及び情報処理装置用プログラムを提供することにある。
【課題を解決するための手段】
【００１３】
上記の課題を解決するために、請求項１に記載の発明は、携帯可能な子機等の情報処理装置と、当該情報処理装置と接続されて当該情報処理装置内に備えられた電池を充電する充電装置と、を備える情報処理システムにおいて、前記充電装置は、前記情報処理装置を操作するための操作情報を入力するために用いられる操作部等の操作手段と、前記電池を充電するための充電信号を、前記操作情報に基づいて制御する充電制御部等の制御手段と、前記制御された充電信号を前記情報処理装置に供給する充電端子等の充電手段と、を備え、前記情報処理装置は、前記充電装置から供給された前記充電信号を前記電池に供給する充電端子等の供給手段と、前記充電信号の変化に基づいて、前記操作情報により示される前記操作に対応する処理を実行するＣＰＵ等の実行手段と、を備える。
【００１４】
上記の課題を解決するために、請求項１１に記載の発明は、請求項１から１０のいずれか一項に記載の情報処理システムに含まれる前記充電装置であって、前記操作手段と、前記制御手段と、前記充電手段と、を備える。
【００１５】
上記の課題を解決するために、請求項１２に記載の発明は、請求項１から１０のいずれか一項に記載の情報処理システムに含まれる前記情報処理装置であって、前記供給手段と、前記実行手段と、を備える。
【００１６】
上記の課題を解決するために、請求項１３に記載の発明は、請求項１から１０のいずれか一項に記載の情報処理システムに含まれる前記充電装置に含まれるコンピュータを制御手段として機能させる。
【００１７】
上記の課題を解決するために、請求項１４に記載の発明は、請求項１から１０のいずれか一項に記載の情報処理システムに含まれる前記情報処理装置に含まれるコンピュータを、前記供給手段、及び、前記実行手段、として機能させる。
【図面の簡単な説明】
【００１８】
【図１】実施形態に係る充電システムの概要構成を示すブロック図である。
【図２】実施形態のデータ伝送に係るフォーマットを示す図であり、（ａ）及び（ｂ）は当該フォーマットの第一例を示す図であり、（ｃ）は当該フォーマットの第二例を示す図である。
【図３】第１の変形形態に係る充電システムの概要構成を示すブロック図である。
【図４】第２の変形形態に係る充電システムの概要構成を示すブロック図である。
【発明を実施するための形態】
【００１９】
（Ｉ）実施形態
次に、本願を実施するための形態について、図１及び図２を用いて説明する。なお、以下に説明する実施形態は、親子電話機を構成する携帯可能な子機と、当該子機が載置されたとき当該子機に内蔵されている充電可能な二次電池を充電する充電装置と、により構成される充電システムに対して、本願を適用した場合の実施形態である。
【００２０】
また、図１は実施形態に係る充電システムの概要構成を示すブロック図であり、図２は実施形態の充電装置と子機との間におけるデータ伝送に係るフォーマットを示す図である。
【００２１】
図１に示すように、実施形態に係る充電システムＳは、図示しない親機との間での無線接続が可能であり、当該親機を介して外部の電話線と接続されて通話が可能で且つ小型で携帯が可能な子機１０と、当該子機１０が載置されたとき当該子機１０内の後述する二次電池を充電する充電装置３０と、により構成されている。
【００２２】
次に子機１０は、図示しない親機との間の無線通信に用いられるアンテナＡＴに接続された通信部１１と、実行手段の一例としてのＣＰＵ１２と、液晶ディスプレイ等からなる表示部１３と、スピーカ１４と、マイク１５と、図示しない操作ボタン又はいわゆるジョグダイアル等からなる操作部１６と、充電検出部１７と、上記二次電池１８と、充電装置３０との間の電気的且つ物理的な接続に用いられる供給手段の一例としての充電端子１９及び２０と、により構成されている。
【００２３】
この構成において、子機１０の通信部１１は、ＣＰＵ１２の制御の下、アンテナＡＴを介して上記親機と接続され、当該親機を介した外部との通話に係るデータの授受を制御する。
【００２４】
そしてＣＰＵ１２は、親子電話機を構成する子機１０として、例えば操作部１６内の操作ボタン等を用いた操作により指定された電話番号に対して電話をかけるように通信部１１等を制御する。そして当該通話相手との間に呼が確立されたら、当該通話相手から親機を介して送られて来る音声をスピーカ１４から放音させると共に、子機１０の使用者の音声がマイク１５を介して入力されたらそれを符号化して親機を介して通話相手に送信する制御を行う。この制御動作において、通話相手の電話番号等の必要な情報はＣＰＵ１２の制御の下で表示部１３に表示されると共に、ＣＰＵ１２内の図示しないメモリ内には必要なデータ等が一時的に記憶される。
【００２５】
一方、二次電池１８に対しては、充電端子１９及び２０を介して上記充電装置３０から充電電圧が印加されると、これにより必要量の充電が行われる。そして当該二次電池１８は、充電された電力を子機１０を構成する上記各構成部材に供給し、当該構成部材を駆動させる。
【００２６】
これと並行して充電検出部１７は、子機１０が充電装置３０上に載置されることで充電端子１９及び２０に充電電圧が印加される（即ち、充電端子１９及び２０に印加される充電電圧がオンとされる）と、当該オンとされたことを検出し、当該検出結果をＣＰＵ１２に出力する。また、当該印加された充電電圧により二次電池１８の充電が行われる。
【００２７】
一方充電検出部１７は、子機１０が充電装置３０から取り外されることで充電端子１９及び２０への充電電圧の印加がオフとされると、当該オフとされたことを検出し、当該検出結果をＣＰＵ１２に出力する。また、充電電圧の印加がオフとなることにより二次電池１８への充電が停止する。
【００２８】
なお、充電検出部１７における検出結果に基づいて充電電圧のオン／オフを検出したＣＰＵ１２は、当該充電電圧がオンとなったことを検出することで例えば充電装置３０上に子機１０が載置されたと認識して当該子機１０による通話を終了する制御を行う。またＣＰＵ１２は、当該充電電圧がオフとなったことを検出することで例えば充電装置３０から子機１０が取り外されたと認識して当該子機１０による通話を開始する制御を行う。
【００２９】
これに加えて実施形態に係る子機１０では、充電検出部１７が備える上述した充電電圧のオン／オフの検出機能をそのまま利用することにより、後述するように当該充電電圧のオン／オフにより充電装置３０から送信されて来る操作情報としての充電電圧のオン／オフの切り替わりを当該充電検出部１７において検出し、その検出結果をＣＰＵ１２に出力する。
【００３０】
これによりＣＰＵ１２は、上述した子機１０としての通常の通話動作等に加えて、充電装置３０から送信されて来る上記操作情報の内容を充電検出部１７からの上記検出結果に基づいて認識し、当該内容が実現されるように子機１０の各構成部材を制御する。
【００３１】
他方、実施形態に係る充電装置３０は、図１に示すように、子機１０における操作部１６に含まれる操作ボタン等と同様の種類の操作ボタン３７等からなる操作手段の一例としての操作部３５と、ＣＰＵ３４と、例えば交流１００ボルトの家庭用コンセントから電力供給を受けるためのプラグ３６が接続された制御手段の一例としての充電制御部３３と、子機１０における充電端子１９及び２０との間の電気的且つ物理的な接続に夫々用いられる充電手段の一例としての充電端子３１及び３２と、により構成されている。
【００３２】
この構成において、充電端子３１は充電制御部３３に接続されており、一方充電端子３２は接地されている。
【００３３】
また操作部３５に含まれる上記操作ボタン３７等は、子機１０の操作部１６に含まれる操作ボタン等と同様の種類のものが同様の数だけ操作部３５内に含まれている。また例えば、通話機能に用いられるもののみ、の如く、操作部１６に比して限定された種類及び数の操作ボタン３７等であってもよい。更に、操作部１６には含まれないボタン（より具体的には、例えば子機１０上では複数ボタンの押下によって実現される操作を一纏めに操作できるように定義付けたボタン等）を操作部３５内に配置しても良い。そして、操作部３５に含まれる操作ボタン３７等自体の大きさは操作部１６に含まれる操作ボタン等よりも大きく、且つその構造も操作部１６に含まれる操作ボタン等に比して操作し易い構造とされている。
【００３４】
ＣＰＵ３４は、操作部３５内の操作ボタン３７等を用いて行われた操作に対応する上記操作情報を生成し、充電制御部３３に出力する。
【００３５】
次に充電制御部３３は、プラグ３６を介して入力されて来る交流電流を二次電池１８充電用の所定電圧を有する上記充電電圧に変換して充電端子３１に供給し、従来と同様の二次電池１８の充電動作を行う。これに加えて実施形態に係る充電制御部３３は、当該充電電圧を上記操作情報を用いて後述するように変換（変調）し、充電端子３１に供給する。そして、子機１０が充電装置３０に載置されることで充電端子１９と充電端子３１と接触し且つ充電端子２０と充電端子３２とが接触すると、上記操作情報により変調された充電電圧が子機１０内の二次電池１８及び充電検出部１７に印加される。これにより当該二次電池１８の充電が行われると共に、充電検出部１７により上記操作情報の内容が検出され、それに基づく子機１０のＣＰＵ１２の上述した制御により、当該操作情報の内容に応じて子機１０が動作する。
【００３６】
なお、プラグ３６と充電制御部３３との間にいわゆる交流（ＡＣ）アダプタを介在させ、当該ＡＣアダプタにおいて家庭用コンセントからの交流電力を上記充電電圧に対応させて直流化し、充電制御部３３に供給するように構成することもできる。この場合の充電制御部３３としては、下記充電電圧の変換（変調）動作のみを行うことになる。
【００３７】
次に、充電制御部３３による、操作情報に応じた上記充電電圧の変調方法について、図２を用いて具体的に例示しつつ説明する。
【００３８】
先ず、変調方法の第一の具体例について、図２（ａ）及び図２（ｂ）を用いて説明する。
【００３９】
変調方法の第一の具体例としては、上記充電電圧の「オフ」をデータ「０」に対応させ且つ充電電圧の「オン」をデータ「１」に対応させたいわゆる調歩同期式シリアル通信方式により、８ビットのコードデータを一単位として、充電装置３０からそれに載置されている子機１０に操作情報を伝送する。
【００４０】
より具体的には図２（ａ）に例示するように、スタートビットＳＢを先頭とし、データビットｂ０乃至ｂ７により上記８ビットのコードデータを形成し、更にパリティビットＰ及びストップビットＴＢを付加することにより一単位分の操作情報を形成する。なおこの操作情報は、充電装置３０の操作部３５に含まれている操作ボタン３７等の一つにつき、一つの操作情報が割り当てられている。
【００４１】
そして、図２（ｂ）に示すように、図２（ａ）に示したデータ構造と同様のデータ構造を備え且つフレームの開始を示す固定値をそのコードデータとするフレーム開始コードデータＳＣと、上記操作情報に相当するボタンコードデータＢＣと、当該ボタンコードデータＢＣにおける各ビットの「１」と「０」とを反転させた値を有する反転コードデータＲＣと、により一のフレームを構成し、このフレームを、操作された操作ボタン３７等の数だけ連続させて充電装置３０から子機１０に伝送する。これにより、充電装置３０の操作部３５において操作された内容に相当する操作情報が充電装置３０から子機１０に伝送されて、当該子機１０の操作に供される。
【００４２】
なお、上記ボタンコードデータＢＣとしては、一つの操作ボタン３７等につき一意にボタンコードデータＢＣを割り当てるが、上記反転コードデータＲＣを後続させる関係で、ボタンコードデータＢＣとしてはその最上位ビットが「０」となる範囲から操作ボタン３７等への割り当てが為されている。
【００４３】
そして、当該フレームを受信した充電検出部１７では、そのフレームの構造が図２（ｂ）に例示するものであった場合、それが充電装置３０における操作部３５の操作に基づいて生成された操作情報であると認識し、ＣＰＵ１２にその旨と共に受信した操作情報を出力する。これにより、当該操作情報の内容に応じて子機１０が動作することとなる。
【００４４】
次に、変調方法の第二の具体例について、図２（ｃ）を用いて説明する。
【００４５】
上述した変調方法の第一の具体例では調歩同期式シリアル通信方式を用いる場合について説明したが、以下に説明する第二の具体例では、パルス数の変化により操作情報の内容を伝送する。
【００４６】
変調方法の第二の具体例としては、操作部３５に含まれる上記操作ボタン３７等に係る操作情報の一つ一つに対して、パルスの数を一意に予め割り当てておき、当該割り当てられたパルス数と操作情報との対応関係を、夫々ＣＰＵ３４及び充電検出部１７内の図示しないメモリ領域内に不揮発性に記憶させておく。
【００４７】
そして図２（ｃ）に例示するように、操作部３５においていずれかの操作ボタン３７等が操作されたタイミングをタイミングＢＴとすると、そのタイミングから一定の時間（図２（ｃ）において符号「α」で示す）充電電圧をオンとしてから、その操作された操作ボタン３７等に割り当てられていた数のパルスＰＬを含むパルス信号となるように充電電圧のオンとオフとを切り換え、その後再度一定の時間（図２（ｃ）において符号「β」で示す）充電電圧をオンとすることで、操作情報一つ分のデータ伝送を充電装置３０から子機１０に向けて行う。このとき、一つのパルスＰＬにおけるパルス幅は、上記一定時間α及びβのいずれよりも短い時間とされる。
【００４８】
そしてこれを連続させることにより、充電装置３０の操作部３５において操作された内容に相当する操作情報が、その内容に対応した数のパルスＰＬを含むパルス信号として充電装置３０から子機１０に伝送される。
【００４９】
次に当該操作情報としてのパルス信号を受信する充電検出部１７では、充電電圧の変化を監視し、当該充電電圧が図２（ｃ）に符号「α」で示す一定時間オンとなったことを検出したら、それに続くパルスＰＬの数を、充電電圧が図２（ｃ）に符号「β」で示す一定時間オンとなったことを検出するまでの間において計数する。その後、当該計数されたパルスＰＬの数に対応する操作情報を充電検出部１７において認識してＣＰＵ１２に出力する。これにより、当該操作情報の内容に応じて子機１０が動作することとなる。
【００５０】
ここで、実施形態に係る充電システムＳでは、上述して来たように、図２（ａ）及び（ｂ）に例示する調歩同期式シリアル通信方式における充電電圧がオンである期間、又は図２（ｃ）に例示するパルスＰＬのパルス幅に相当する期間（即ち充電電圧がオンである期間）においてのみ、二次電池１８に対する充電が行われる。
【００５１】
よって、上記充電電圧がオンである各期間は、それらに対応して充電電圧がオフである期間が、子機１０の充電検出部１７において子機１０が充電装置３０から取り外されたと誤検出することがない程度に短くなるような期間である必要がある。これに加えて充電電圧がオンである各期間は、二次電池１８の充電が完了するまでの時間が不要に長くならない程度の時間的長さに設定する必要がある。
【００５２】
なお、充電装置３０における操作ボタン３７等を用いてそれに載置されている（充電中の）子機１０を操作すべき機会自体がそれほど頻繁ではないと考えられることから、実施形態に係る操作情報が確実に伝送される点を重視して当該各期間を定めることで、実用上の支障はないと考えられる。
【００５３】
以上説明したように、実施形態に係る充電システムＳの動作によれば、充電装置３０上に設けられた操作部３５を用いて入力された操作情報に基づいて充電電圧を制御し、その充電電圧を子機１０に印加して充電用及び操作用に用いるので、充電電圧を子機１０の操作用に兼用することで、携帯のために小型化された子機１０であっても、それを充電しつつ容易に操作することを簡易な構成で実現することができる。
【００５４】
また、操作情報に基づいて制御された充電電圧を子機１０に印加して充電用及び操作用に用いるので、従来の充電用の構成をそのまま流用して充電用及び操作用の充電電圧を子機１０に印加してその充電及び操作を行うことができる。
【００５５】
更に充電電圧のオン／オフを制御して子機１０に印加することで充電用及び操作用に用いるので、より簡易な構成で充電用及び操作用の充電信号を子機１０に印加してその充電及び操作を行うことができる。
【００５６】
更にまた、図２（ａ）及び同（ｂ）に例示した調歩同期式シリアル通信方式を用いる場合には、操作情報がボタンコードデータＢＣであると共に、充電電圧のオンが「データ１」に相当し、且つ当該充電電圧のオフが「データ０」に相当するように、操作情報に基づいて当該充電電圧のオン／オフを制御するので、操作情報の内容を正確に反映させた充電電圧を子機１０に印加できることで、正確に当該子機１０を操作することができる。
【００５７】
また、当該調歩同期式シリアル通信方式を用いる場合に、ボタンコードデータＢＣと、フレーム開始コードデータＳＣと、反転コードデータＲＣと、から、操作情報に相当する一のフレームを生成し、当該フレームを単位として充電電圧を子機１０に供給すると共に、当該フレームを単位として子機１０において対応する処理を実行するので、より正確に子機１０を充電しつつ操作することができる。
【００５８】
一方、図２（ｃ）に例示したパルス信号を用いる場合には、操作情報に対応する数のパルスＰＬを有するパルス信号となるように充電電圧のオン／オフを制御し、子機１０において当該パルスＰＬの数に基づいて対応する処理を実行するので、操作情報の内容を正確に反映させた充電電圧を子機１０に印加できることで、正確に当該子機１０を操作することができる。
【００５９】
また、充電装置３０に備えられた操作部３５に含まれる操作ボタン３７等の大きさが、子機１０に備えられた操作部１６に含まれる操作ボタン等の大きさよりも大きいので、指の大きさ或いは老若男女を問わず、簡易な操作で充電中の子機１０を操作することができる。
【００６０】
更に、相互に電気的且つ物理的に接触する充電端子１９及び充電端子３１並びに充電端子２０及び充電端子３２を用いることで、元々二次電池１８の充電用に備えられていた各充電端子１９等を流用しつつ、簡易な構成で充電中の子機１０を操作することができる。
【００６１】
（II）第１の変形形態
次に、本願に係る第１の変形形態について、図３を用いて説明する。なお、図３は第１の変形形態に係る充電システムの概要構成を示すブロック図であり、図１に示した実施形態に係る充電システムＳと同様の構成部材については同様の部材番号を付して示している。また以下の説明では、実施形態に係る充電システムＳと同様の構成部材については細部の動作説明等を省略する。
【００６２】
図３に示すように、第１の変形形態に係る充電システムＳ１に含まれる子機４０は、実施形態に係る子機１０における充電検出部１７に代えて、抽出手段の一例としての交流検出部４１を備える。また当該充電システムＳ１に含まれる充電装置５０は、実施形態に係る充電装置３０に対して交流信号生成手段の一例及び重畳手段の一例としての交流重畳部５１が追加された構成となっている。
【００６３】
この構成において、充電装置５０の交流重畳部５１は、充電装置５０から子機４０に送信すべき操作情報の内容に対応した波形を有する交流信号を生成して、充電制御部３３に出力する。このときＣＰＵ３４は、操作部３５において操作された操作ボタン３７等に相当する操作情報の内容に対応した上記交流信号を生成するように、交流重畳部５１を制御する。そして交流重畳部５１は、当該交流信号を充電電圧に重畳して充電端子３１に印加する。
【００６４】
ここで、より具体的に交流重畳部５１及びＣＰＵ３４は、操作情報としてのデータ「１」又はデータ「０」に対して上記交流信号の「有」又は「無」、或いはその周波数の「高」又は「低」を夫々対応させることで、いわゆる非同期シリアル通信方式に則って操作情報を充電装置５０から子機４０に伝送するように動作する。
【００６５】
一方、子機４０の交流検出部４１は、当該子機４０が充電装置５０上に載置され、上記交流信号が重畳された充電電圧が充電端子３１等を介して印加されて来ると、当該交流信号のみを抽出し、その抽出した交流信号に基づいて上記操作情報の内容を検出して処理実行手段の一例としてのＣＰＵ１２に出力する。これにより、当該操作情報に基づくＣＰＵ１２の制御により、当該操作情報の内容に応じて子機４０が動作する。
【００６６】
以上説明した第１の変形形態に係る充電システムＳ１の動作によれば、操作情報に対応した波形を有する交流信号を充電電圧に重畳して子機４０に供給し、当該子機４０において、供給された充電電圧から抽出された交流信号に基づいて処理を実行するので、従来の充電用の構成に対して最小限の構成を追加することのみで、装置の大型化等を回避しつつ充電用及び操作用の充電信号を子機４０に供給してその充電及び操作を行うことができる。
【００６７】
（III）第２の変形形態
最後に、本願に係る第２の変形形態について、図４を用いて説明する。なお、図４は第２の変形形態に係る充電システムの概要構成を示すブロック図であり、図１に示した実施形態に係る充電システムＳと同様の構成部材については同様の部材番号を付して示している。また以下の説明では、実施形態に係る充電システムＳと同様の構成部材については細部の動作説明等を省略する。
【００６８】
図４に示すように、第２の変形形態に係る充電システムＳ２に含まれる子機６０は、実施形態に係る子機１０における充電検出部１７に代えて、当該子機６０に備えられた充電端子１９及び２０に接続された信号検出部６１を備える。また当該充電システムＳ２に含まれる充電装置７０は、実施形態に係る充電装置３０における充電制御部３３に代えて、当該充電装置７０に備えられた充電端子３１及び３２に接続された充電制御部７１を備える。
【００６９】
この構成において、充電装置７０の充電制御部７１は、充電装置７０から子機６０に送信すべき操作情報の内容に対応して、充電端子３１及び３２に夫々印加する充電電圧の極性（正又は負）を切り換える。このときＣＰＵ３４は、操作部３５において操作された操作ボタン３７等に相当する操作情報の内容に対応して上記極性の切り換えが為されるように、充電制御部７１を制御する。そして充電制御部７１は、当該極性が制御された充電電圧を充電端子３１及び３２に夫々印加する。
【００７０】
ここで、より具体的に充電制御部７１及びＣＰＵ３４は、例えば、操作情報としてのデータ「１」に対応する極性として充電端子３１に印加する充電電圧を「正」とし且つ充電端子３２に印加する充電電圧を「負」とすると共に、操作情報としてのデータ「０」に対応する極性として充電端子３１に印加する充電電圧を「負」とし且つ充電端子３２に印加する充電電圧を「正」として、当該充電電圧を充電端子３１及び３２に印加するように動作する。なお、データ「１」及び「０」と充電電圧の極性との関係は、上述した場合と逆でもよい。
【００７１】
これにより、子機６０が充電装置７０上に載置され、上記極性が制御された充電電圧が充電端子３１等を介して印加されて来ると、子機６０の二次電池１８は、充電端子１９に印加されて来る充電電圧と充電端子２０に印加されて来る充電電圧とを加算して（換言すれば、それらの「ＯＲ」をとって）自らを充電する。
【００７２】
一方子機６０の信号検出部６１は、充電端子１９及び２０に夫々印加されて来る充電電圧の極性を検出し、その変化に基づいて上記操作情報の内容を検出してＣＰＵ１２に出力する。これにより、当該操作情報に基づくＣＰＵ１２の制御により、当該操作情報の内容に応じて子機４０が動作する。
【００７３】
以上説明した第２の変形形態に係る充電システムＳ２の動作によれば、操作情報に対応して充電電圧における極性を切り換えて子機６０に供給し、当該子機６０において、当該供給された充電電圧における極性の変化に基づいて処理を実行するので、従来の充電用の構成に対して最小限の構成を追加することのみで、装置の大型化等を回避しつつ充電用及び操作用の充電電圧を子機６０に供給してその充電及び操作を行うことができる。
【００７４】
なお、上述して来た実施形態及び各変形形態においては、子機１０等の充電端子１９及び２０と、充電装置３０等の充電端子３１及び３２と、が夫々物理的に接触することで充電電圧が子機１０等に印加される場合について説明したが、これ以外に、電磁誘導現象を原理として用いたいわゆる非接触式の充電装置を含む充電システムに対して本願を適用することもできる。この場合には、上述した実施形態又は各変形形態に係る方式により例えば非接触充電用の充電電圧を変調することで、実施形態又は各変形形態と同様に操作情報を充電装置から子機に伝送することができる。
【００７５】
また、上述して来た実施形態及び各変形形態においては、親子電話機を構成する子機１０等内の二次電池１８を充電する充電装置３０等を含む充電システムＳ等に対して本願を適用した場合について説明したが、これ以外に例えば、一般の携帯型無線電話機（いわゆる携帯電話）に備えられた二次電池を充電する充電装置と当該携帯型電話機とを含む充電システムや、携帯型無線機に備えられた二次電池を充電する充電装置と当該携帯型無線機とを含む充電システム、或いは携帯型情報処理装置（いわゆるＰＤＡ（Personal Data Assistance）端末等）に備えられた二次電池を充電する充電装置と当該携帯型情報処理装置を含む充電システムに対して本願を適用することも可能である。この場合には、当該携帯型無線電話機や携帯型無線機等が実施形態等に係る子機１０等に相当することとなる。
【００７６】
更に、実施形態又は各変形形態に係る動作に対応するプログラムをインターネット等のネットワークを介して記録しておき、これを汎用のマイクロコンピュータ等により読み出して実行することにより、当該マイクロコンピュータ等を実施形態等に係るＣＰＵ１２及び３４として機能させることも可能である。
【符号の説明】
【００７７】
１０、４０、６０    子機
１２、３４    ＣＰＵ
１６、３５    操作部
１７    充電検出部
１８    二次電池
１９、２０、３１、３２    充電端子
３０、５０、７０    充電装置
３３、７１    充電制御部
３７    操作ボタン
４１    交流検出部
５１    交流重畳部
６１    信号検出部
Ｓ、Ｓ１、Ｓ２    充電システム
ＳＢ    スタートビット
ｂ０、ｂ１、ｂ２、ｂ３、ｂ４、ｂ５、ｂ６、ｂ７    データビット
Ｐ    パリティビット
ＴＢ    ストップビット
ＳＣ    フレーム開始コードデータ
ＢＣ    ボタンコードデータ
ＲＣ    反転コードデータ
ＰＬ    パルス
【図１】
2011050201.tif 000003
【図２】
2011050201.tif 000004
【図３】
2011050201.tif 000005
【図４】
2011050201.tif 000006